(57)【特許請求の範囲】
【請求項１】
船舶に取水されたバラスト水が導入される測定セルと、前記バラスト水が導入された測定セルにＮ，Ｎ‐ジエチル‐ｐ‐フェニレンジアミン塩を含有する指示試薬を注入する指示試薬注入手段と、前記指示試薬が注入されたバラスト水に５１０ｎｍ乃至５５０ｎｍの波長の光を照射する光源と、前記測定セルを透過した光を検出する光検出器と、前記光検出器の検出結果に基づいて、前記バラスト水にヨウ化カリウムを注入することなく前記バラスト水中の残留オキシダントと反応して呈色した前記指示試薬の吸光度を算出し、当該吸光度に基づいて前記バラスト水中の残留オキシダント濃度を算出する制御部と、を有する残留オキシダント濃度測定装置によるバラスト水中の残留オキシダント濃度の監視方法であって、
前記バラスト水中の水生生物を殺滅するための次亜塩素酸ナトリウム、塩素、二酸化塩素、過酸化水素のいずれかの活性物質が注入され、さらに、当該活性物質を中和する中和剤が注入された後のバラスト水中の残留オキシダント濃度を前記残留オキシダント濃度測定装置が測定し、
この測定された残留オキシダント濃度が予め定められた設定値以下であることを監視する
ことを特徴とするバラスト水中の残留オキシダント濃度の監視方法。
【請求項２】
船舶に取水されたバラスト水を貯留するバラストタンクと、
前記バラストタンクに導入されるバラスト水に当該バラスト水中の水生生物を殺滅するための次亜塩素酸ナトリウム、塩素、二酸化塩素、過酸化水素のいずれかの活性物質を注入する活性物質注入部と、
前記活性物質を中和するための中和剤を注入する中和剤注入部と、
前記活性物質注入部及び中和剤注入部から注入される薬品の注入量を制御する薬品量制御部と、
を備えた、バラスト水処理システムの残留オキシダント濃度を監視する残留オキシダント濃度の監視システムであって、
前記中和剤が注入されたバラスト水が導入される測定セルと、前記バラスト水が導入された測定セルにＮ，Ｎ‐ジエチル‐ｐ‐フェニレンジアミン塩を含有する指示試薬を注入する指示試薬注入手段と、前記指示試薬が注入されたバラスト水に５１０ｎｍ乃至５５０ｎｍの波長の光を照射する光源と、前記測定セルを透過した光を検出する光検出器と、前記光検出器の検出結果に基づいて、前記バラスト水にヨウ化カリウムを注入することなく前記バラスト水中の残留オキシダントと反応して呈色した前記指示試薬の吸光度を算出し、当該吸光度に基づいて前記バラスト水中の残留オキシダント濃度を算出する制御部と、を有する残留オキシダント濃度測定手段と、
前記残留オキシダント濃度測定手段で測定された残留オキシダント濃度が予め定められた設定値以下であることを監視する監視手段と、を備える
ことを特徴とする残留オキシダント濃度の監視システム。
【請求項３】
前記船舶にバラスト水を取水する際に、前記測定セルには、前記活性物質が注入されたバラスト水が導入され、
前記残留オキシダント濃度測定手段が、前記活性物質が注入されたバラスト水に前記指示試薬を注入し、当該バラスト水にヨウ化カリウムを注入することなく前記バラスト水中の残留オキシダントと反応して呈色した前記指示試薬の吸光度に基づいて前記バラスト水中の残留オキシダント濃度を測定し、
前記薬品量制御手段は、前記測定された残留オキシダント濃度の測定値に基づいて前記バラスト水に注入される前記活性物質の注入量を制御する
ことを特徴とする請求項２に記載の残留オキシダント濃度の監視システム。
【請求項４】
前記船舶からバラスト水を排出する際に、前記測定セルには、さらに前記中和剤が注入される前のバラスト水が導入され、
前記残留オキシダント濃度測定手段が、前記中和剤が注入される前のバラスト水に前記指示試薬を注入し、当該バラスト水にヨウ化カリウムを注入することなく前記バラスト水中の残留オキシダントと反応して呈色した前記指示試薬の吸光度に基づいて前記バラスト水中の残留オキシダント濃度を測定し、
前記薬品量制御手段は、前記測定された残留オキシダント濃度の測定値に基づいて前記中和剤の注入量を制御する
ことを特徴とする請求項２または請求項３に記載の残留オキシダント濃度の監視システム。
【請求項５】
船舶に取水されたバラスト水を貯留するバラストタンクと、
前記バラストタンクに導入されるバラスト水に当該バラスト水中の水生生物を殺滅するためのオゾンを注入するオゾン注入部と、
を備えた、バラスト水処理システムの残留オキシダント濃度を監視する残留オキシダント濃度の監視システムであって、
前記バラストタンクから排出されるバラスト水が導入される測定セルと、前記バラスト水が導入された測定セルにＮ，Ｎ‐ジエチル‐ｐ‐フェニレンジアミン塩を含有する指示試薬を注入する指示試薬注入手段と、前記指示試薬が注入されたバラスト水に５１０ｎｍ乃至５５０ｎｍの波長の光を照射する光源と、前記測定セルを透過した光を検出する光検出器と、前記光検出器の検出結果に基づいて、前記バラスト水にヨウ化カリウムを注入することなく前記バラスト水中の残留オキシダントと反応して呈色した前記指示試薬の吸光度を算出し、当該吸光度に基づいて前記バラスト水中の残留オキシダント濃度を算出する制御部と、を有する残留オキシダント濃度測定手段と、
前記残留オキシダント濃度測定手段で測定された残留オキシダント濃度が予め定められた設定値以下であることを監視する監視手段と、
前記残留オキシダント濃度測定手段で測定された残留オキシダント濃度が予め設定された設定値以上であった場合、前記バラスト水から前記残留オキシダントを除去する処理を行う残留オキシダント除去手段と、
を備えた
ことを特徴とする残留オキシダント濃度の監視システム。
【発明の詳細な説明】
【技術分野】
【０００１】
この発明は、バラスト水中のＴＲＯ濃度を測定する測定装置を用いたバラスト水中のＴＲＯ濃度の監視技術に関する。
【背景技術】
【０００２】
コンテナ船やタンカーなどの大型貨物船は、積荷が少ない状態の航路において、出発港でバラスト水を汲み上げて船内のタンクに貯留し、航行中に船体が浮かび上がるのを防ぎ、到着港ではそのバラスト水を放出している。その際、バラスト水中に含まれる動植物プランクトン、海藻の断片、底生生物や魚類等の幼生や卵などが、バラスト水とともに新たな環境に移動・拡散し、本来その地域に生息していない「外来種」として生態系をかく乱する等の悪影響を及ぼすことがあり、世界各地で問題となっている。
【０００３】
バラスト水問題は、国際海事機構（International Maritime Organization：ＩＭＯ）が中心となって、１９８０年代から国際的な議論が進められ、２００４年２月にロンドンで開催された会議において、「船舶のバラスト水および沈殿物の規制および管理のための国際条約」（バラスト水管理条約）が採択された。同条約では、船舶におけるバラスト水排出基準を示すとともに、バラスト水処理システムの搭載義務を定めている。バラスト水処理システムは一般的に（１）海水を取水して海水中の水生生物を殺滅処理する、（２）処理した海水をバラストタンクに保管する、（３）貨物積載時に不要になったバラスト水の水質をモニタ後、海に排出するといった手順をとる。
【０００４】
このバラスト水中の水生生物を除去する方法としては、例えば、次亜塩素酸ナトリウムを注入する方法（例えば、非特許文献１）、凝集分離過程と磁気分離過程からなる方法（例えば、特許文献１）、物理的な破砕機構とオゾンによる滅菌を組み合わせた方法（例えば、特許文献２、３、非特許文献２）等がある。
【０００５】
ＩＭＯでは、次亜塩素酸ナトリウムやオゾン等の活性物質の投与によりバラスト水中の水生生物を殺滅するシステムについて、海洋環境に有害なままバラスト水が排出されることを規制する目的で処理システムでの活性物質の使用に関し承認基準を設けている。故に、バラスト水に活性物質を注入してバラスト水を処理するシステムでは、Ｇ９（活性物質を使用するバラスト水管理システムの承認に関する手順）による評価試験を行って承認を受ける必要がある。また、上記承認基準では、活性物質の投与により生成される物質も関連物質として規制対象となっている。例えば、活性物質がオゾンの場合、オゾンと海水中の臭素イオン（Ｂｒ-）との反応で生成される関連物質は、ブロモホルム（ＣＨＢｒ3）、臭素酸イオン（ＢｒＯ3-）、残留オキシダント（Total Residual Oxidants：ＴＲＯ）となる。
【０００６】
ＴＲＯとは、中性ヨウ化カリウム溶液と反応し、ヨウ素を遊離する物質の総称であり、光化学オキシダント、オゾン等と同様の酸化性物質である。
【０００７】
これら酸化性物質の測定は従来から行われており、例えば、大気汚染の原因となるオゾン濃度の連続測定法としては、化学発光法、紫外線吸収法、吸光光度法、電量法がある。
【０００８】
一方、バラスト水中のＴＲＯ濃度測定法としては、ヨウ化カリウムとオキシダントとの反応に基づく反応生成物を測定するＫＩ法が用いられている（例えば、特許文献４、５）。このＫＩ法の測定原理について、オゾンを測定する例を示して説明する。まず、中性ヨウ化カリウムとオゾンが反応することでヨウ素（Ｉ2）が遊離する。反応式を（１）式に示す。
２ＫＩ  ＋  Ｏ3  ＋  Ｈ2Ｏ  →  Ｉ2  ＋  ２ＫＯＨ  ＋  Ｏ2  …  （１）
そして、遊離したヨウ素量は、滴定または、波長３６５ｎｍの吸光度に基づいて測定され、オゾン濃度が算出される。
【０００９】
また、ＴＲＯの一つである残留塩素を測定する残留塩素濃度計には、ＤＰＤ（ジエチル‐ｐ‐フェニレンジアンモニウム）吸光光度法（例えば、ＪＩＳ  Ｋ０１０２  ３３．２）やポーラログラフ方式を用いたものがある。残留塩素濃度計は、滅菌のために排水に注入された塩素の監視に用いられ、下水処理でも処理水に塩素注入を行った後、放流するため欠かせない計測器である。下水や排水には、一般に結合残留塩素が多く含まれることから有試薬方式が用いられる。
【００１０】
有試薬方式の一つであるＤＰＤ吸光光度法は、残留塩素がＤＰＤ試薬との反応で生じる桃色から桃赤色を、波長５１０ｎｍないし５５５ｎｍ付近の吸光度を測定し、試料中の残留塩素濃度を求める。ＤＰＤ試薬との反応により、遊離残留塩素だけが定量される。さらに、ヨウ化カリウムを加えることで、結合残留塩素の発色が起こり、この吸光度（波長５１０ｎｍないし５５５ｎｍ付近の吸光度）を測定することで遊離残留塩素と結合残留塩素とを合量として定量できる。結合残留塩素は、この合量値から遊離残留塩素分を差し引くことで求めることができる。なお、このＤＰＤ吸光光度法では、臭素、二酸化塩素、過マンガン酸、オゾン等の酸化性物質がプラスの誤差として測定値に加算される。
【００１１】
一方、上水の遊離残留塩素の測定では、オンライン式自動測定が可能であるポーラログラフ法が用いられることが多い。
【先行技術文献】
【特許文献】
【００１２】
【特許文献１】特開２００９−１１２９７８号公報
【特許文献２】特開２００６−３１４９０２号公報
【特許文献３】特表２００７−５２７７９８号公報
【特許文献４】特開平９−２４８５８０号公報
【特許文献５】特開平４−９０８９２号公報
【非特許文献】
【００１３】
【非特許文献１】岡本幸彦、外２名、“船舶用バラスト水処理システムの実用化”、ＪＦＥ技報、Ｎｏ．２５、２０１０年２月、ｐ．１−６
【非特許文献２】植木修次、外５名、“オゾン利用によるバラスト水処理システムの開発”、三井造船技報、Ｎｏ．１９６、２００９年２月、ｐ．１−１０
【発明の概要】
【発明が解決しようとする課題】
【００１４】
しかしながら、ポーラログラフ方式による遊離残留塩素計は、遊離残留塩素濃度が同一であっても、試料水の電気伝導率や他の還元性物質の濃度の違いから計測値が不安定となる特性があった。そのため、測定値が不安定となる要因を有するバラスト水処理システムの制御にポーラログラフ方式を適用することは難しかった。
【００１５】
また、ＫＩ法では、呈色のための反応時間に約１０分を要し（例えば、特許文献４）、迅速性に欠けるためにバラスト水の水質を連続的にモニタリングする計測方式として採用されるまでには至らなかった。
【００１６】
よって、本発明は、迅速にＴＲＯ濃度を測定でき、バラスト水処理システムの制御に利用可能な測定精度を有するＴＲＯ濃度の測定装置を提供することを目的としている。また、このＴＲＯ濃度の測定装置を用いて、バラスト水処理システムから排出されるバラスト水が基準を満たすようにバラスト水のＴＲＯ濃度を監視する方法および監視システムを提供することを目的としている。
【課題を解決するための手段】
【００１８】
上記目的を達成する本発明のバラスト水中の残留オキシダント濃度の監視方法は、船舶に取水されたバラスト水が導入される測定セルと、前記バラスト水が導入された測定セルにＮ，Ｎ‐ジエチル‐ｐ‐フェニレンジアミン塩を含有する指示試薬を注入する指示試薬注入手段と、前記指示試薬が注入されたバラスト水に５１０ｎｍ乃至５５０ｎｍの波長の光を照射する光源と、前記測定セルを透過した光を検出する光検出器と、前記光検出器の検出結果に基づいて、前記バラスト水にヨウ化カリウムを注入することなく前記バラスト水中の残留オキシダントと反応して呈色した前記指示試薬の吸光度を算出し、当該吸光度に基づいて前記バラスト水中の残留オキシダント濃度を算出する制御部と、を有する残留オキシダント濃度測定装置による残留オキシダント濃度の監視方法であって、前記バラスト水中の水生生物を殺滅するための次亜塩素酸ナトリウム、塩素、二酸化塩素、過酸化水素のいずれかの活性物質が注入され、さらに、当該活性物質を中和する中和剤が注入された後のバラスト水中の残留オキシダント濃度を前記残留オキシダント濃度測定装置が測定し、この測定された残留オキシダント濃度が予め定められた設定値以下であることを監視することを特徴としている。
【００１９】
また、上記目的を達成する本発明のバラスト水中の残留オキシダント濃度の監視システムは、船舶に取水されたバラスト水が導入される測定セルと、前記バラスト水が導入された測定セルにＮ，Ｎ‐ジエチル‐ｐ‐フェニレンジアミン塩を含有する指示試薬を注入する指示試薬注入手段と、前記指示試薬が注入されたバラスト水に５１０ｎｍ乃至５５０ｎｍの波長の光を照射する光源と、前記測定セルを透過した光を検出する光検出器と、前記光検出器の検出結果に基づいて、前記バラスト水にヨウ化カリウムを注入することなく前記バラスト水中の残留オキシダントと反応して呈色した前記指示試薬の吸光度を算出し、当該吸光度に基づいて前記バラスト水中の残留オキシダント濃度を算出する制御部と、を有する残留オキシダント濃度測定手段と、前記残留オキシダント濃度測定手段で測定された残留オキシダント濃度が予め定められた設定値以下であることを監視する監視手段と、を備えることを特徴としている。
【発明の効果】
【００２０】
以上の発明によれば、バラスト水中の残留オキシダント（ＴＲＯ）濃度を測定し、バラスト水処理システムのＴＲＯ濃度を監視することができる。
【図面の簡単な説明】
【００２１】
【図１】本発明の実施形態に係るＴＲＯ濃度測定装置の概略構成図である。
【図２】本発明の実施形態に係るＴＲＯ濃度測定装置のＴＲＯ測定値とＫＩ法によるＴＲＯ測定値との相関図である。
【図３】本発明の実施形態１に係るバラスト水処理システムの構成図である。
【図４】本発明の実施形態２に係るバラスト水処理システムの構成図である。
【発明を実施するための形態】
【００２２】
本発明の実施形態に係る残留オキシダント（ＴＲＯ）濃度の測定装置（以後、ＴＲＯモニタという）は、ＤＰＤ（ジエチル‐ｐ‐フェニレンジアミン）吸光光度法によりバラスト水中のＴＲＯを迅速に測定し、且つ従来のＫＩ法によるＴＲＯ濃度測定方法と同等以上の精度でＴＲＯを測定するものである。
【００２３】
本発明の実施形態に係るＴＲＯモニタは、被測定水にＤＰＤ試薬を添加し、ＤＰＤ試薬とＴＲＯとの反応で生じる物質の吸光度（例えば、波長５１０ｎｍないし５５０ｎｍ付近の吸光度）を測定することにより被測定水のＴＲＯ濃度を計測する。
【００２４】
また、本発明の実施形態に係るＴＲＯモニタによるバラスト水中のＴＲＯ濃度監視方法は、本発明に係るＴＲＯモニタでバラスト水中のＴＲＯ濃度を計測することで、バラスト水中のＴＲＯ濃度を監視するものである。
【００２５】
図１に示すように、本発明の実施形態に係るＴＲＯモニタ１は、測定セル２と、光源３、光検出器４、制御部５より構成される。
【００２６】
測定セル２は、バラスト水がサンプリングされ、このサンプリングされたバラスト水にＤＰＤ試薬が注入される。
【００２７】
光源３は、ＤＰＤ試薬とＴＲＯとの反応で生成される物質が吸収する波長を含む光を照射できるものであればよく、ＬＥＤ等既知の光源を用いればよい。
【００２８】
光検出器４は、光源３より照射されセルを透過した光の強度を検出する。
【００２９】
制御部５は、光検出器４により検出された光の強度に基づいて、吸光光度法によりセル中の吸光度の変化を測定する。
【００３０】
上記構成からなるＴＲＯモニタ１によるＴＲＯの測定手順ついて説明する。まず、測定セル２にバラスト水を導入する。バラスト水は、測定したい箇所のバラスト水から一定量採取する。この時、測定セル２へのバラスト水の導入と排出を複数回繰り返すことで測定セル２を洗浄する。この試料採取は、オーバーフロー方式により測定セル２の洗浄を兼ねてもよい。ＴＲＯモニタ１のブランクとして、バラスト水が注入された測定セル２に光源３より光を照射し、測定セル２を透過した光の強度を光検出器４で検出する。
【００３１】
次に、導入されたバラスト水に試薬貯留部６よりＤＰＤ試薬および緩衝液を注入する。緩衝液は、サンプルを適切なｐＨに保つ働きをするものであり、例えば、リン酸緩衝溶液を用いてサンプルのｐＨを６．３〜６．６とするとよい。ＤＰＤ試薬は、Ｎ，Ｎ‐ジエチル‐ｐ‐フェニレンジアミン塩（例えば、硫酸塩等）として市販されているものを用いた。ＤＰＤ試薬がバラスト水中のＴＲＯと反応することで、サンプルがＴＲＯの濃度に応じて発色する。なお、具体的なＤＰＤ試薬の注入量は、例えば、ＪＩＳで規格されているＤＰＤ吸光光度法（ＪＩＳ  Ｋ０１０２  ３３．２）に基づいて設定される。
【００３２】
ＤＰＤ試薬を注入後、所定時間（例えば、２分以内）経過後に、光源３より測定セル２に光を照射し、光検出器４で透過光強度を検出する。そして、この透過光強度とブランクの透過光強度の差に基づいて、吸光度が算出される。サンプル中のＴＲＯ濃度とそのＴＲＯ濃度での吸光度の検量線を予め作成しておくことで、検出された吸光度に基づいてＴＲＯ濃度が算出される。
【００３３】
図２に示すようにＤＰＤ吸光光度法によるＴＲＯ測定値とＫＩ法によるＴＲＯ測定値には相関性があり、ＤＰＤ吸光光度法によるＴＲＯ濃度の測定精度はＴＲＯモニタとしてバラスト水処理の制御に供することが可能な測定精度を有することがわかる。なお、図２に示すように、ＤＰＤ試薬を注入後に所定時間経過後に測定されたＴＲＯ濃度の測定値と、ＫＩ法によるＴＲＯ濃度の測定値は異なっている。この差異は、ＫＩ法では安定的な酸化性物質まで測定対象となるためと考えられる。
【００３４】
以上の動作により、ＴＲＯモニタ１は、ＤＰＤ試薬を添加したバラスト水の吸光度に基づいて、バラスト水中のＴＲＯ濃度を計測することができる。このＤＰＤ吸光光度法によるＴＲＯ濃度の計測は迅速に行われ（例えば、１分以内）、かつＴＲＯ濃度測定精度が従来の測定方法と同程度以上であるので、バラスト水中のＴＲＯ濃度を監視するＴＲＯモニタとしてバラスト水処理システムの制御に供することができる。このＴＲＯ濃度の計測操作を繰り返す（例えば、２．５分間隔）ことで、バラスト水中のＴＲＯ濃度をモニタリングできる。
【００３５】
（実施形態１）
本発明に係るＴＲＯモニタ１は、バラスト水中のＴＲＯを迅速に、且つ精度よく測定することができる。よって、バラスト水処理システムのＴＲＯモニタ１として、バラスト水中のＴＲＯ濃度をモニタすることができる。
【００３６】
本発明に係るＴＲＯモニタ１を備えた第１の実施形態に係るバラスト水処理システムについて、活性物質として次亜塩素酸ナトリウムを用いたバラスト水処理システムを例示して説明する。なお、活性物質は、この実施形態に限定されるものではなく、塩素、二酸化塩素、過酸化水素等既知の活性物質を用いてもよい。
【００３７】
活性物質として次亜塩素酸ナトリウムを用いた場合、次亜塩素酸ナトリウムとバラスト水との反応により、遊離残留塩素、結合残留塩素等の関連物質が生じる。遊離残留塩素とは、塩素（Ｃｌ2）、次亜塩素酸イオン（ＣｌＯ-）等のことであり、強い殺菌力を有し、バラスト水中の水生生物の殺滅効果を有するものである。また、結合残留塩素とは、モノクロラミン（ＮＨ2Ｃｌ）、ジクロラミン（ＮＨＣｌ2）のように塩素とアンモニアが結合した物質等のことである。
【００３８】
ここで、従来の水質のモニタの概要について説明する。上述の遊離残留塩素や結合残留塩素等の関連物質は、水中にＴＲＯとして残留する。このＴＲＯの濃度は、それぞれが有する酸化力を特定の機能を持つ計測器によりモニタリングしていた。これらの計測器は、水中に含有する酸化性物質の濃度や強度を計測可能な残留塩素計や酸化還元電位計またはそれらの組合せによりそれぞれのＴＲＯ濃度を計測していた。
【００３９】
具体的には、活性物質として次亜塩素酸ナトリウムを用いる方法では、バラスト水の取水時には、遊離残留塩素濃度がバラスト水中の水生生物を殺滅するために必要な濃度となるように、次亜塩素酸ナトリウムが注入されたバラスト水中の遊離残留塩素濃度を測定し、この測定値に基づいて次亜塩素酸ナトリウムの注入量の制御を行う。また、バラスト水排出時には、排出する前にバラスト水中の遊離残留塩素を測定し、この計測値に応じて遊離残留塩素を中和するための薬剤の注入量を制御する。また、中和剤が注入された後のバラスト水中のＴＲＯ濃度を測定し、排出されるバラスト水が排出基準を満たしているかを確認している。
【００４０】
本発明に係るＴＲＯモニタ１は、ＤＰＤ試薬を添加してＴＲＯ濃度を計測することで、迅速にバラスト水中のＴＲＯ濃度をモニタリングする。このＴＲＯモニタ１は、バラスト水を次亜塩素酸ナトリウムを用いて処理するシステムのバラスト水の取水時と排出時において、バラスト水のＴＲＯ濃度の監視を行う。つまり、バラスト水取水時には、活性物質注入後のバラスト水中のＴＲＯ濃度の計測値に基づいて、バラスト水に注入される活性物質の注入量を制御する。そして、バラスト水排出時には、バラスト水中のＴＲＯ濃度の計測値に基づいて、注入された活性物質の残存量を中和する中和剤の注入量を制御する。さらに、中和剤注入後のバラスト水中のＴＲＯ濃度の計測値に基づいて、排出されるバラスト水が排出基準を満たしているかどうかを確認する。
【００４１】
図３に示すように、本発明の実施形態１に係るバラスト水処理システム７は、バラストタンク８、活性物質注入部９、中和剤注入部１０、ＴＲＯモニタ１、および薬品量制御部１１より構成される。
【００４２】
バラストタンク８は、船舶の積荷が少ない状態の航路において、航行中に船体が浮かび上がるのを防止するバラスト水を貯留する。
【００４３】
活性物質注入部９は、ポンプ１２を介してバラストタンク８に接続され、バラストタンク８に移送されるバラスト水に次亜塩素酸ナトリウムを注入する。
【００４４】
中和剤注入部１０は、バラストタンク８の下流に備えられ、バラスト水中の関連物質等を除去するための中和剤を注入する。中和剤としては、チオ硫酸ナトリウム、アスコルビン酸、シュウ酸、亜硫酸ナトリウム、重亜硫酸ナトリウム等が例示される。
【００４５】
ＴＲＯモニタ１は、注入された次亜塩素酸ナトリウムと海水との反応で生成したバラスト水中のＴＲＯ濃度を計測する。
【００４６】
薬品量制御部１１は、ＴＲＯモニタ１の計測データが入力され、活性物質注入部９に対して活性物質の注入量を制御する制御信号を送信し、中和剤注入部１０に対しては中和剤の注入量を制御する制御信号を送信する。
【００４７】
上記構成からなる本発明の実施形態１に係るバラスト水処理システム７の動作について説明する。
【００４８】
バラスト水取水時には、ポンプ１２が駆動され、海水または淡水がフィルタ１３、活性物質注入部９を介してバラストタンク８に移送される。この時、活性物質注入部９において、活性物質注入部９を通過するバラスト水の流量に応じた所定の注入率で次亜塩素酸ナトリウムがバラスト水に注入される。なお、ポンプ１２を備えず、水頭差により、海水または淡水をバラストタンク８に移送してもよい。
【００４９】
ＴＲＯモニタ１は、次亜塩素酸ナトリウムが注入されたバラスト水のＴＲＯ濃度を計測し、計測結果を薬品量制御部１１に送信する。薬品量制御部１１では、この計測結果に基づいて活性物質注入部９に制御信号を送信し、ＴＲＯ濃度の計測値が予め設定された目標値になるように、バラスト水に注入される次亜塩素酸ナトリウムの注入量を制御する。このように、バラスト水中のＴＲＯ濃度を一定以上に保つことで、バラストタンク８にバラスト水を貯留している間、水生生物の再増殖やプランクトン等の孵化を防止することができる。
【００５０】
一方、バラスト水排出時には、ポンプ１４を駆動することでバラストタンク８に貯留されたバラスト水が中和剤注入部１０を介して船外に排出される。この時、ＴＲＯモニタ１が、中和剤が注入される前のバラスト水中のＴＲＯ濃度を計測し、この計測結果を薬品量制御部１１に送信する。薬品量制御部１１は、ＴＲＯモニタ１の計測値に基づいて、中和剤注入後のバラスト水が還元状態（すなわち、ＴＲＯが検出されない状態）となるために必要な中和剤の注入率を演算する。そして、薬品量制御部１１がこの中和剤の注入率に基づいて中和剤注入部１０を制御し、中和剤がバラスト水に注入され、バラスト水中の関連物質が除去される。
【００５１】
さらに、ＴＲＯモニタ１は、中和剤注入後のバラスト水のＴＲＯ濃度を計測し、中和剤注入後のバラスト水中に一定レベル以上のＴＲＯ濃度が計測された場合には、薬品量制御部１１は、中和剤の注入操作を停止させ、バラスト水の排出用ポンプ１４を停止させる。これにより、バラスト水中の関連物質の中和が不十分であって、排水基準を満たさないバラスト水の排出操作は、確実に停止できる。
【００５２】
以上のように、実施形態１に係るバラスト水処理システム７によれば、バラスト水取水時には、ＴＲＯモニタ１によりＴＲＯ濃度を計測し、バラスト水に注入される次亜塩素酸ナトリウム量を水生生物の殺滅に必要かつ過剰にならない量に制御することができる。また、バラスト水排出時には、ＴＲＯモニタ１によりＴＲＯ濃度を計測して、遊離残留塩素を中和するための中和剤を必要かつ過剰にならない量に制御することができる。さらに、ＴＲＯモニタ１で、中和剤注入後のＴＲＯ濃度を計測することで、バラスト排水の水質をモニタリングすることができる。なお、バラスト水処理において、バラスト水の取水工程とバラスト水の排出工程とが同時に実施されることはないので、１台のＴＲＯモニタ１でバラスト水の取水工程および排出工程のＴＲＯ濃度を計測しても測定に支障が生じない。
【００５３】
そして、本発明に係るＴＲＯモニタ１は、バラスト水中のＴＲＯを迅速かつ精度よく計測できるので、このＴＲＯモニタ１をバラスト水処理システムに適用することで、バラスト水処理プロセスにおける活性物質および中和剤の注入量を最小化できる。よって、船舶に積載される活性物質および中和剤の量を抑えることができる。さらに、バラスト水取水時とバラスト水排出時に水質をモニタリングする計測を１つのＴＲＯモニタ１で行うことで、ＴＲＯ濃度を計測するＴＲＯモニタの台数を低減でき、バラスト水処理システムの省スペース化が実現できる。
【００５４】
また、実施形態１に係るバラスト水処理システム７は、吸着剤を使用せず、関連物質を中和する中和剤をバラスト水に注入することで関連物質を除去することができる。つまり、このシステムによれば、活性物質とともに中和剤の補充、保管が必要となるが、吸着設備の設置スペースが不要であり、吸着設備の設置に伴う定期的な吸着剤の交換費用の削減が図れる。
【００５５】
（実施形態２）
本発明に係るＴＲＯモニタ１は、バラスト水中のＴＲＯを迅速に、精度よく測定することができる。よって、バラスト水処理システムのＴＲＯモニタ１として、バラスト水中のＴＲＯ濃度をモニタすることができる。
【００５６】
本発明に係るＴＲＯモニタ１を備えた第２の実施形態に係るバラスト水処理システムについて、活性物質としてオゾンを用いたバラスト水処理システムを例示して説明する。なお、活性物質は、この実施例に限定されるものではなく、既知の活性物質を用いてもよい。
【００５７】
活性物質としてオゾンを使用すると、オゾンと海水中の臭素イオンの反応で、臭素酸イオン、ブロモホルム、ＴＲＯ等の関連物質が生成される。排出時のバラスト水に関連物質による毒性が残ったままバラスト水を排出すると、第２の環境汚染を引き起こしてしまうため、排出されるバラスト水中の関連物質を除去する必要がある。
【００５８】
そこで、従来は、バラスト水の排出経路に、吸着剤を充填した排出処理槽を備え、バラスト水の排出時に上記バラスト水の関連物質の除去を行っている。この吸着剤は、関連物質等に対する吸着等の除去能力は優れているが、その能力には限界がある。そして、吸着能力に関しては、通水を継続すると吸着剤を充填した吸着層は逐次飽和となり、ついには破過となり吸着能力がなくなる。つまり、排出処理槽に充填された吸着剤の飽和吸着量以上の吸着除去は不可能である。
【００５９】
そのため、排出処理槽での関連物質除去性能の監視を確実なものにするために、排出処理槽通過後のバラスト水の水質をＴＲＯモニタにより常に監視していた。
【００６０】
この方法では、上記ＴＲＯモニタの計測値が排出基準を満たさなかった場合、通常の手順でバラスト水を海中に排水できなくなり、結果的に積荷の積載が遅れる等の弊害が生じるおそれがあった。こうした事態を防ぐため、別途予備の吸着装置を用意して、バラスト排出中の関連物質の除去を行う必要がある。しかし、予備の吸着装置を用意すると、この吸着剤を保管する余分なスペースが必要となってしまう。
【００６１】
本発明の実施形態２に係るバラスト水処理システム１５は、図４に示すように、バラストタンク８、オゾン注入部１６、排出処理部１７、ＴＲＯモニタ１、および排出制御部１８より構成される。
【００６２】
バラストタンク８は、船舶の積荷が少ない状態の航路において、航行中に船体が浮かび上がるのを防止するバラスト水を貯留する。
【００６３】
オゾン注入部１６には、バラスト水を取水するためのポンプ１２を介してバラストタンク８が接続され、バラストタンク８に送水されるバラスト水にオゾンを注入する。
【００６４】
排出処理部１７は、バラスト水を船外に排出するポンプ１９とバラスト水の流路を制御するバルブ２０を介してバラストタンク８に接続されている。このバルブ２０は、後述の排出制御部１８により制御される。そして、バルブ２０には、排出処理部１７を介さずに船外にバラスト水を排出するための配管２１が接続されている。
【００６５】
ＴＲＯモニタ１は、バラスト水排出時に、排出処理部１７の処理前と処理後のバラスト水中のＴＲＯ濃度を計測する。ＴＲＯモニタ１は、排出処理部１７の入口と出口それぞれのバラスト水について、それぞれ時間をずらしてサンプリングして、サンプリングされたバラスト水中のＴＲＯ濃度を計測する。この計測データは後述の排出制御部１８に送信される。
【００６６】
排出制御部１８は、ＴＲＯモニタ１の計測値が入力され、この計測値に基づいて、ポンプ１９およびバルブ２０を制御する。
【００６７】
上記構成からなる本発明の実施形態２に係るバラスト水処理システム１５の動作について説明する。
【００６８】
バラスト水取水時には、ポンプ１２が駆動され、海水または淡水がフィルタ１３、オゾン注入部１６を介してバラストタンク８に移送される。なお、ポンプ１２を備えず、水頭差を利用してバラスト水をバラストタンク８に導入してもよい。
【００６９】
オゾン注入部１６では、オゾン注入部１６を通過するバラスト水の流量に応じて、バラスト水中のオゾン濃度が水生生物を殺滅するために必要な濃度となるようにバラスト水中に所定量のオゾンが注入される。そして、オゾンが注入されたバラスト水は、バラストタンク８に貯留される。なお、バラストタンク８の上流の配管には図示省略の脱気処理部が備えられ、この脱気処理部で余剰のオゾンがバラスト水より除去される。このようにオゾンはバラスト水から脱気処理されるとともに、バラスト水に残存するオゾンは分解しやすい物質であるため、バラストタンク８に移送されたバラスト水中には、オゾンはほとんど残留していない。
【００７０】
一方、バラスト水排出時には、ポンプ１９を駆動しバラストタンク８に貯留されたバラスト水が排出処理部１７を介して船外に移送される。この時、ＴＲＯモニタ１では、排出処理部１７による処理前と処理後のバラスト水中のＴＲＯ濃度を計測し、この計測結果が排出制御部１８に送信される。ＴＲＯモニタ１による処理前と処理後のバラスト水のＴＲＯ濃度計測は、排水処理部１７で処理する前のバラスト水をサンプルする手順と、排水処理部１７で処理した後のバラスト水をサンプルする手順を一定時間毎に切り替えることで行うことができる。
【００７１】
排出処理部１７は、バラスト水中の関連物質（ブロモホルム、残留オキシダント等）を化学反応や吸着等により除去する。排出処理部１７に充填される吸着剤としては、石炭活性炭、ヤシガラ活性炭、ゼオライト、セラミック等、既知の吸着剤が例示される。また、吸着材の形状は、粒状、粉末状、繊維状等いずれの形状のものを用いてもよい。
【００７２】
具体例として、ヤシガラ活性炭２ｍ3を充填した排出処理部１７をバラストタンク８の下流に配置し、処理流量に対して４ｍｇ／ｌになるようにオゾンが注入された試験水を流量２００ｍ3／ｈで排出処理部１７に流通させる実験を行った。この実験により、排出処理槽１７を通過したバラスト水中の関連物質（主として、ＴＲＯ）除去性能は、長時間十分性能を満足することが確認された。Ｇ９では関連物質の挙動が厳しくチェックされるので、このように、第２の環境汚染を引き起こさないように排出処理部１７でバラスト水の処理を行う。
【００７３】
排出制御部１８では、ＴＲＯモニタ１の計測値に基づいて、バラスト水の処理ルートを制御する。すなわち、排出処理部１７の入口側のＴＲＯ濃度が、予め設定した値（例えば、０．１５ｍｇ／ｌ等）以下の場合、排出制御部１８がバルブ２０を制御し、バラスト水が配管２１を通過して船外に放出される。つまり、排出処理部１７を通過させずにバラスト水を船外に放流する。したがって、排出処理部１７に充填された吸着剤の消耗を防止することができる。
【００７４】
一方、排出処理部１７入口側のＴＲＯ濃度が、予め設定した値（例えば、０．１５ｍｇ／ｌ等）以上の場合、排出制御部１８は、バルブ２０を制御することで、バラスト水を排出処理部１７に移送する。したがって、バラスト水を排出処理部１７で処理し、バラスト水中の関連物質を除去することで、ＩＭＯが採択した船舶バラスト水管理条約に適合したバラスト水を船外に排出することができる。この時、排出処理部１７を通過した後のＴＲＯ濃度をＴＲＯモニタ１で計測して、バラスト水中のＴＲＯ濃度が予め設定した値（例えば、０．１５ｍｇ／ｌ等）以下であることを確認することができる。
【００７５】
もし、バラスト水中のＴＲＯ濃度が予め設定した値以上となった場合には、ポンプ１９を停止させることで、排水基準を満たさないバラスト水の排出操作は確実に停止できる。
【００７６】
以上のように、実施形態２に係るバラスト水処理システム１５によれば、排出処理部１７に導入される前のバラスト水中のＴＲＯ濃度を計測し、この計測結果に基づいてバラスト水を排出処理部１７に導入するか否かを制御することができる。
【００７７】
本発明に係るＴＲＯモニタ１によれば、バラスト水中のＴＲＯ濃度を迅速かつ精度よく計測できる。そして、このＴＲＯモニタ１を用いて、排水処理の処理ルートを制御することで、排出処理部１７に充填される吸着剤の積載量の適正化と併せて、吸着剤の吸着能力の延命化を図ることができる。
【００７８】
なお、本発明に係るＴＲＯモニタ１およびＴＲＯモニタ１によるバラスト水中のＴＲＯ濃度を監視する方法は、上記実施形態に限定されるものではなく、本発明の作用効果を損なわない範囲で適宜設定変更が可能である。例えば、指示試薬は、ＤＰＤに限らず、バラスト水中のＴＲＯと速やかに反応して呈色反応を示すものであれば、本発明に適用できる。
【００７９】
以上のように、本発明のＴＲＯモニタ１によれば、バラスト水中のＴＲＯ濃度を迅速かつ精度よく計測することができる。また、本発明のＴＲＯモニタは、ＫＩ法によるＴＲＯ濃度の計測のように、安定的な他の酸化性物質を測定することなく、生物にとって毒性を有するＴＲＯを精度よく計測できる。よって、バラスト水排水時に、バラスト水中のＴＲＯ濃度が排出基準を満たしているかどうか監視することができる。また、バラスト水中のＴＲＯを中和処理する場合には、ＴＲＯを中和する中和剤の注入量を必要且つ十分となるように抑制することができる。また、ＴＲＯ除去操作を行う場合においても、生物にとって毒性を有するＴＲＯを精度よく計測できるので、過剰な除去操作を行うことを防止することができる。
【００８０】
そして、本発明のＴＲＯモニタはバラスト水のＴＲＯ濃度を監視することができるので、バラスト水処理システムの制御に用いることができる。また、本発明のＴＲＯモニタは、バラスト水処理のシステムにおいて、１つのＴＲＯモニタで複数個所の処理水のＴＲＯ濃度をモニタリングすることができる。よって、バラスト水処理システムに使用されるＴＲＯモニタの数を低減することができ、バラスト水処理システムの省スペース化が実現する。
【符号の説明】
【００８１】
１…ＴＲＯモニタ（残留オキシダント濃度の測定装置）
２…測定セル
３…光源
４…光検知器
７…バラスト水処理システム
８…バラストタンク
９…活性物質注入部
１０…中和剤注入部
１１…薬品量制御部
９、１２、１４…ポンプ
１５…バラスト水処理システム
１６…オゾン注入部
１７…排出処理部
１８…排出制御部
２０…バルブ
【要約】
【課題】バラスト水の残留オキシダント（ＴＲＯ）濃度を監視することができるＴＲＯ濃度の測定装置を提供する。また、このＴＲＯ測定装置によりバラスト水処理システムにおいてＴＲＯ濃度の監視を行う。
【解決手段】ＤＰＤ吸光光度法によりバラスト水中のＴＲＯ濃度を測定するＴＲＯモニタ１である。このＴＲＯモニタ１は、船舶に取水されるバラスト水を処理するバラスト水処理システムにおいて、バラスト水の排出時のＴＲＯ濃度を監視する。次亜塩素酸ナトリウムを用いてバラスト水を処理するシステムでは、ＴＲＯ濃度を監視するとともに、ＴＲＯモニタ１のＴＲＯ濃度の計測値に基づいて次亜塩素酸ナトリウム量およびＴＲＯを中和する中和剤の注入量を制御する。また、オゾンを用いてバラスト水を処理するシステムでは、ＴＲＯモニタ１のＴＲＯ濃度の計測値に基づいて、バラスト水の排水処理の手順を制御する。
【選択図】図１【図１】
0004824133.tif 000002
【図２】
0004824133.tif 000003
【図３】
0004824133.tif 000004
【図４】
0004824133.tif 000005